(57)【要約】【課題】生活情報の有効性の有無に応じて報酬が支払われるようにし、これにより集計情報の品質向上と対費用効果の向上を図る。【解決手段】複数の情報提供者端末ＵＴ１〜ＵＴｎから収集した生活情報が生活情報記憶部３１に記憶された状態で、情報取得者端末ＣＴ１〜ＣＴｍから上記生活情報の集計結果の開示要求が送られた場合に、先ず部分開示制御部２２の制御の下で上記記憶された生活情報を部分的に使用して部分開示情報を生成し上記要求元の情報取得者端末ＣＴ１〜ＣＴｍへ送信する。そして、この情報取得者端末ＣＴ１〜ＣＴｍから全開示要求が送られた場合に、上記記憶された生活情報の全てを使用して全開示情報を生成してこれを要求元の情報取得者端末ＣＴ１〜ＣＴｍへ送信し、この全開示情報の送信後に当該全開示情報を生成する元になった生活情報の提供元の情報提供者に対応する利用回数を更新する。【選択図】図２
2011197955.tif 000002
【特許請求の範囲】
【請求項１】
情報提供者が使用する複数の情報提供者端末からそれぞれ生活情報を通信ネットワークを介して収集してメモリに記憶する手段と、
情報取得者が使用する情報取得者端末から前記通信ネットワークを介して部分開示要求が送られた場合に、前記メモリに記憶された生活情報を部分的に使用して第１の集計情報を生成し、この生成された第１の集計情報を前記通信ネットワークを介して前記要求元の情報取得者端末へ送信する手段と、
前記第１の集計情報の送信先となった情報取得者端末から前記通信ネットワークを介して全開示要求が送られた場合に、前記メモリに記憶された生活情報の全てを使用して第２の集計情報を生成し、この生成された第２の集計情報を前記通信ネットワークを介して前記要求元の情報取得者端末へ送信する手段と、
前記第２の集計情報の送信が行われた場合に、当該第２の集計情報を生成する元になった生活情報の提供元の情報提供者に対し報酬を与えるための処理を行う手段と
を具備することを特徴とする情報仲介装置。
【請求項２】
情報仲介装置が、情報提供者が使用する複数の情報提供者端末からそれぞれ生活情報を通信ネットワークを介して収集してメモリに記憶する過程と、
前記情報仲介装置が、情報取得者が使用する情報取得者端末から前記通信ネットワークを介して部分開示要求が送られた場合に、前記メモリに記憶された生活情報を部分的に使用して第１の集計情報を生成する過程と、
前記情報仲介装置が、前記生成された第１の集計情報を前記通信ネットワークを介して前記要求元の情報取得者端末へ送信する過程と、
前記情報仲介装置が、前記第１の集計情報の送信先となった情報取得者端末から前記通信ネットワークを介して全開示要求が送られた場合に、前記メモリに記憶された生活情報の全てを使用して第２の集計情報を生成する過程と、
前記情報仲介装置が、前記生成された第２の集計情報を、前記通信ネットワークを介して前記要求元の情報取得者端末へ送信する過程と、
前記情報仲介装置が、前記第２の集計情報の送信が行われた場合に、当該第２の集計情報を生成する元になった生活情報の提供元の情報提供者に対し報酬を与える過程と
を具備することを特徴とする情報仲介方法。
【請求項３】
情報提供者が使用する複数の情報提供者端末及び情報取得者が使用する情報取得者端末との間で通信ネットワークを介して情報伝送を行うことが可能な、コンピュータを備えた情報仲介装置で使用されるプログラムであって、
情報提供者が使用する複数の情報提供者端末からそれぞれ生活情報を通信ネットワークを介して収集してメモリに記憶する処理と、
情報取得者が使用する情報取得者端末から前記通信ネットワークを介して部分開示要求が送られた場合に、前記メモリに記憶された生活情報を部分的に使用して第１の集計情報を生成する処理と、
前記生成された第１の集計情報を、前記通信ネットワークを介して前記要求元の情報取得者端末へ送信する処理と、
前記第１の集計情報の送信先となった情報取得者端末から前記通信ネットワークを介して全開示要求が送られた場合に、前記メモリに記憶された生活情報の全てを使用して第２の集計情報を生成する処理と、
前記生成された第２の集計情報を、前記通信ネットワークを介して前記要求元の情報取得者端末へ送信する処理と、
前記第２の集計情報の送信が行われた場合に、当該第２の集計情報を生成する元になった生活情報の提供元の情報提供者に対し報酬を与えるための処理と
を、前記コンピュータに実行させるプログラム。
【発明の詳細な説明】
【技術分野】
【０００１】
この発明は、情報提供者からの情報提供に対する報酬を課金する機能を備えた情報仲介装置、方法及びプログラムに関する。
【背景技術】
【０００２】
近年、多数の情報提供者から提供される生活情報を蓄積して集計処理し、その集計結果を表す情報を情報の取得希望者に配信するシステムが提案されている。このシステムを使用することで、情報取得者は提供された集計結果を表す情報をもとにマーケティング処理等を行うことが可能となる。
【０００３】
ところで、この種のシステムには、情報提供者からの情報提供に対し報酬金額を計算して支払う機能を備えたシステムがある。例えば、特許文献１には、各マルチアングル端末の主画面で視聴されているアングル映像のユーザ数を集計し、当該集計された視聴率に基づき視聴率の最高の部分を繋げて編集映像を生成する映像配信システムにおいて、マルチアングル端末で視聴したユーザのユーザ情報及び映像編集装置で生成された編集映像を別のユーザによって視聴されたときの視聴記録を記憶し、記憶された視聴記録に基づき、編集映像を生成したときに協力したマルチアングル端末のユーザにキャッシュバック情報を送信する技術が記載されている。
【先行技術文献】
【特許文献】
【０００４】
【特許文献１】特開２００９−２０７１８１号公報
【発明の概要】
【発明が解決しようとする課題】
【０００５】
ところが、上記特許文献１に記載されたシステムでは、単に高視聴率の映像を編集するために協力したユーザを対象に無条件に報酬を支払うようにしている。このため、上記従来の技術を、多数の情報提供者から提供される生活情報を集計処理するシステムにそのまま適用すると、生活情報の有効性の有無に関係なくその情報提供者に対し報酬が支払われることになり、この結果有効性の高い生活情報を効果的に収集することができず、また収集した生活情報に対する費用効果が低下するという問題があった。
【０００６】
この発明は上記事情に着目してなされたもので、その目的とするところは、生活情報の有効性のレベルに応じて報酬が支払われるようにし、これにより集計情報の品質向上と対費用効果の向上を図った情報仲介装置、方法及びプログラムを提供することにある。
【課題を解決するための手段】
【０００７】
上記目的を達成するためにこの発明の第１の観点は、以下のような構成要素を備えている。すなわち、情報提供者が使用する複数の情報提供者端末からそれぞれ生活情報を通信ネットワークを介して収集してメモリに記憶する。この状態で、情報取得者が使用する情報取得者端末から上記通信ネットワークを介して部分開示要求が送られた場合に、上記メモリに記憶された生活情報を部分的に使用して第１の集計情報を生成し、この生成された第１の集計情報を上記通信ネットワークを介して上記要求元の情報取得者端末へ送信する。次に、上記第１の集計情報の送信先となった情報取得者端末から上記通信ネットワークを介して全開示要求が送られた場合に、上記メモリに記憶された生活情報の全てを使用して第２の集計情報を生成し、この生成された第２の集計情報を上記通信ネットワークを介して上記要求元の情報取得者端末へ送信する。そして、この第２の集計情報の送信が行われた場合に、当該第２の集計情報を生成する元になった生活情報の提供元の情報提供者に対し報酬を与えるための処理を行うようにしたものである。
【０００８】
したがって、情報取得者は先ず部分開示情報により集計情報の有効性を判断し、有効と判断した場合に全開示要求を送ることにより全開示情報を取得することができる。すなわち値有効性の高い集計情報を選んで取得することができる。そして情報仲介装置では、全開示情報が送信された場合に、この全開示情報を作成する元になった生活情報の情報提供者に対する報酬が課金される。このため、有効性の高い生活情報を提供した情報提供者に対し報酬が支払われることになり、情報提供者も自ずと有効な情報を提供する傾向が強くなって、結果的に収集される生活情報の質を高めることができる。また、報酬を支払う側の情報取得者にとっては、取得した集計情報に対する費用効果を高めることができる。
【発明の効果】
【０００９】
すなわちこの発明によれば、生活情報の有効性のレベルに応じて報酬が支払われるようになり、これにより集計情報の品質向上と対費用効果の向上を図った情報仲介装置、方法及びプログラムを提供することができる。
【図面の簡単な説明】
【００１０】
【図１】この発明の一実施形態に係わる情報仲介システムの概略構成図。
【図２】図１に示したシステムで使用される情報仲介サーバの機能構成を示すブロック図。
【図３】図２に示した情報仲介サーバによる待ち受け制御の処理手順と処理内容を示すフローチャート。
【図４】図２に示した情報仲介サーバによる生活情報収集制御の処理手順と処理内容を示すフローチャート。
【図５】図２に示した情報仲介サーバによる情報開示制御の処理手順と処理内容を示すフローチャート。
【図６】図２に示した情報仲介サーバによる課金制御の処理手順と処理内容を示すフローチャート。
【図７】図２に示した情報仲介サーバに設けられる利用実績記憶部に記憶される情報の一例を示す図。
【図８】図２に示した情報仲介サーバに設けられる課金条件記憶部に記憶される情報の一例を示す図。
【発明を実施するための形態】
【００１１】
以下、図面を参照してこの発明に係わる実施形態を説明する。  
図１は、この発明の一実施形態に係わる情報仲介システムの構成を示す図である。
この情報仲介システムは、複数の情報提供者端末ＵＴ１〜ＵＴｎから情報仲介サーバＩＳＶへ通信ネットワークＮＷを介して生活情報を伝送可能とすると共に、情報仲介サーバＩＳＶから複数の情報取得者端末ＣＴ１〜ＣＴｍへ通信ネットワークＮＷを介して集計情報を伝送可能としたものである。
【００１２】
情報提供者端末ＵＴ１〜ＵＴｎは、情報提供者となる一般ユーザが使用するもので、携帯電話機やＰＤＡ（Personal Digital Assistant）等の携帯端末、パーソナル・コンピュータ等の固定情報端末、双方向通信機能を有するテレビジョン受信装置又はセットトップボックスにより構成される。  
情報取得者端末ＣＴ１〜ＣＴｍは、情報取得者となるメーカや販売会社、広告代理店等が使用するもので、パーソナル・コンピュータにより構成される。
【００１３】
通信ネットワークＮＷは、ＩＰ（Internet Protocol）網と、このＩＰ網にアクセスするためのアクセス網とから構成される。アクセス網としては、光公衆通信網、携帯電話網、ＬＡＮ（Local Area Network）、無線ＬＡＮ、ＣＡＴＶ（Cable Television）網等が用いられる。
【００１４】
ところで、情報仲介サーバＩＳＶは次のように構成される。図２はその構成を示すブロック図である。  
情報仲介サーバＩＳＶは、送受信ユニット１と、制御ユニット２と、記憶ユニット３を備えている。  
送受信ユニット１は、上記情報提供者端末ＵＴ１〜ＵＴｎ及び情報取得者端末ＣＴ１〜ＣＴｍとの間で、通信ネットワークＮＷにより規定された通信プロトコルに従い情報の送受信を行う機能を備えている。なお、上記通信プロトコルとしては、例えばＴＣＰ／ＩＰ（Transmission Control Protocol／Internet Protocol）が使用される。
【００１５】
記憶ユニット３は、例えば記憶媒体としてハードディスクやフラッシュメモリ等の不揮発性メモリを備えたもので、この発明を実現するために必要な記憶領域として、生活情報記憶部３１と、利用実績記憶部３２と、課金条件記憶部３３を備えている。  
生活情報記憶部３１は、情報提供者端末ＵＴ１〜ＵＴｎから収集した生活情報を、その送信元の利用者の識別情報（利用者ＩＤ）と関連付けて記憶するために使用される。
【００１６】
利用実績記憶部３２は、後述する全開示制御部２３により送信された全開示情報を作成する元になった生活情報の情報提供者に対する報酬額を、当該情報提供者の識別情報（情報提供者ＩＤ）と関連付けて記憶するために使用される。図７はこの利用実績記憶部３２に記憶される利用実績を表す情報の一例を示すものである。
【００１７】
課金条件記憶部３３は、利用実績の回数を段階的に分け、これらの段階別にその報酬額を記憶するために使用される。図８はこの課金条件記憶部３３に記憶される課金条件を表す情報の一例を示すものである。
【００１８】
制御ユニット２は、中央処理ユニット（ＣＰＵ）を備え、この発明を実現するために必要な制御機能として、情報収集制御部２１と、部分開示制御部２２と、全開示制御部２３と、課金制御部２４を備えている。なお、これらの制御機能は何れも、図示しないプログラムメモリに格納されたアプリケーション・プログラムを上記ＣＰＵに実行させることにより実現される。
【００１９】
情報収集制御部２１は、情報提供者端末ＵＴ１〜ＵＴｎから情報提供者の操作に基づく任意のタイミングで、或いは予め定められた周期で定期的に生活情報が送信された場合に、この生活情報を送受信ユニット１により受信し、この受信された生活情報をその送信元の情報提供者のＩＤと関連付けて上記生活情報記憶部３１に格納する処理を実行する。
【００２０】
部分開示制御部２２は、情報取得者端末ＣＴ１〜ＣＴｍから部分開示要求が送られた場合に、上記生活情報記憶部３１に記憶された生活情報を部分的に使用して部分開示情報（第１の集計情報）を生成し、この生成された部分開示情報を上記部分開示要求元の情報取得者端末ＣＴ１〜ＣＴｍへ送受信ユニット１から送信させる処理を実行する。
【００２１】
全開示制御部２３は以下の処理を実行する。  
(1) 上記部分開示制御部２２により部分開示情報を送信した先の情報取得者端末ＣＴ１〜ＣＴｍから全開示要求が送られた場合に、前記生活情報記憶部３１に記憶された生活情報の全てを使用して全開示情報（第２の集計情報）を生成し、この生成された全開示情報を上記部分開示要求元の情報取得者端末ＣＴ１〜ＣＴｍへ送受信ユニット１から送信させる処理。  
(2) 上記全開示情報の送信後に、当該全開示情報を生成する元になった生活情報の提供元の情報提供者を特定し、有効実績記憶部３２に記憶されている当該情報提供者に対応する利用回数をインクリメントする処理。
【００２２】
課金制御部２４は、情報提供者ごとに、上記利用実績記憶部３２に記憶された利用実績の回数と、課金条件記憶部３３に記憶された課金条件とに基づいて、報酬額を決定する。そして、この決定された報酬額を通知するための課金情報を生成し、この生成された課金情報を情報取得者端末ＣＴ１〜ＣＴｍに向け送受信ユニット１から送信させる処理を実行する。
【００２３】
次に、以上のように構成された情報仲介サーバＩＳＶの動作を説明する。  
待機状態において情報仲介サーバＩＳＶの制御部２は、図３に示すようにステップＳ１、ステップＳ２、ステップＳ３においてそれぞれ、生活情報の受信監視と、集計情報の取得要求の受信監視と、課金処理タイミングの監視を繰り返し行っている。
【００２４】
（１）生活情報の受信制御
情報提供者端末ＵＴ１〜ＵＴｎにおいて、情報提供操作が行われるか、予め設定した情報提供時刻になると、情報提供者端末ＵＴ１〜ＵＴｎは情報提供者の生活情報を情報仲介サーバＩＳＶに向けて送信する。送信する生活情報としては、テレビジョン番組の視聴履歴情報が考えられる。情報提供者端末ＵＴ１〜ＵＴｎは、これらの視聴履歴情報に、情報提供者ＩＤ、情報提供者の性別や年齢、職業、役職、居住地等の属性情報と、年月日や時刻、曜日により表される送信タイミング情報を付加して送信する。
【００２５】
情報仲介サーバＩＳＶの制御ユニット２は、上記情報提供者端末ＵＴ１〜ＵＴｎから送信された生活情報が送受信ユニット１で受信されたことをステップＳ１で検出すると、生活情報受信制御部２１を起動し、以後この生活情報受信制御部２１の制御の下で、以下のように受信制御を実行する。図４はその処理手順と処理内容を示すフローチャートである。
【００２６】
すなわち、生活情報受信制御部２１は先ずステップＳ１１において、上記情報提供者端末ＵＴ１〜ＵＴｎから送信された生活情報を送受信ユニット１を介して受信する。そして、ステップＳ１２において、上記受信された生活情報に含まれる情報提供者ＩＤをもとに生活情報記憶部３１に対しアクセスし、該当する記憶領域に上記受信された生活情報を記憶させる。
【００２７】
（２）集計情報の開示制御
情報取得者端末ＣＴ１〜ＣＴｍにおいて、情報取得者が集計情報の取得操作を行うと、情報取得者端末ＣＴ１〜ＣＴｍは先ず集計情報の部分開示要求を情報仲介サーバＩＳＶに向けて送信する。
【００２８】
情報仲介サーバＩＳＶの制御ユニット２は、上記情報取得者端末ＣＴ１〜ＣＴｍから送信された開示要求が送受信ユニット１で受信されたことをステップＳ２で検出すると、以下のように集計情報開示制御を実行する。図５はその処理手順と処理内容を示すフローチャートである。
【００２９】
すなわち、制御ユニット２は先ず上記受信された開示要求が部分開示要求であるか全開示要求であるかをステップＳ２１で判定する。そして、この判定の結果部分開示要求であれば、部分開示制御部２２を起動し、この部分開示制御部２２の制御の下で、先ずステップＳ２２により生活情報記憶部３１から部分開示に必要な情報を選択的に読み出し、この読み出された情報をもとにステップＳ２３において部分開示情報を作成する。そして、ステップＳ２４において、上記作成された部分開示情報を上記開示要求元の情報取得者端末ＣＴ１〜ＣＴｍへ送受信ユニット１から送信する。
【００３０】
例えば、生活情報記憶部３１に記憶された複数の生活情報の各々から、テレビジョン番組の視聴チャネル情報と送信タイミング（情報収集タイミング）を表す情報を選択的に読み出して集計し、これにより全情報提供者による番組ごと或いは時間帯ごとの視聴率を算出する。そして、この算出結果を部分開示情報として、開示要求元の情報取得者端末ＣＴ１〜ＣＴｍへ送信する。
【００３１】
情報取得者端末ＣＴ１〜ＣＴｍでは、情報仲介サーバＩＳＶから部分開示情報が送られると、この部分開示情報が表示器に表示される。情報取得者は、この表示された部分開示情報をもとに、当該部分開示情報を作成する元になった生活情報の有効性を判断し、有効であると判断した場合には全開示要求の送信指示を入力する。この入力を受付けると情報取得者端末ＣＴ１〜ＣＴｍは、情報仲介サーバＩＳＶへ全開示要求を送信する。
【００３２】
情報仲介サーバＩＳＶの制御ユニット２は、上記情報取得者端末ＣＴ１〜ＣＴｍから送信された開示要求が全開示要求であれば、全開示制御部２３を起動し、この全開示制御部２３の制御の下で、先ずステップＳ２５により生活情報記憶部３１から全開示に必要な情報を選択的に読み出し、この読み出された情報をもとにステップＳ２６において全開示情報を作成する。そして、ステップＳ２７において、上記作成された全開示情報を上記開示要求元の情報取得者端末ＣＴ１〜ＣＴｍへ送受信ユニット１から送信する。
【００３３】
例えば、生活情報記憶部３１に記憶された複数の生活情報の各々から、テレビジョン番組の視聴チャネル情報と、送信タイミング（情報収集タイミング）を表す情報に加え、情報提供者の属性情報を読み出す。そして、情報提供者の年齢別及び性別に、番組ごと或いは時間帯ごとの視聴率を算出する。そして、この算出結果を全開示情報として、開示要求元の情報取得者端末ＣＴ１〜ＣＴｍへ送信する。  
情報取得者端末ＣＴ１〜ＣＴｍでは、情報仲介サーバＩＳＶから上記全開示情報が送られると、この全開示情報が表示器に表示される。したがって、情報取得者はこの表示された全開示情報をもとに視聴率を詳細に分析することが可能となる。
【００３４】
上記全開示情報の送信が終了すると全開示制御部２３は、ステップＳ２８において、上記送信した全開示情報を生成する元になった生活情報の提供元の情報提供者を特定する。そして、有効実績記憶部３２に記憶されている当該情報提供者に対応する利用回数をインクリメントする。
【００３５】
（３）課金制御
情報仲介サーバＩＳＶの制御ユニット２は、課金処理タイミング、例えば月末になったことをステップＳ３で検出すると、課金制御部２４を起動し、以後この課金制御部２４の制御の下で以下のように課金制御を実行する。図６はその処理手順と処理内容を示すフローチャートである。
【００３６】
すなわち、先ずステップＳ３１に移行して利用者を一人選択する。そして、この選択した利用者のＩＤをもとに、ステップＳ３２において利用実績記憶部３２から該当する情報提供者の利用実績、つまり当該情報提供者から提供された生活情報が有効な情報として利用された回数を読み出す。続いてステップＳ３３において、上記読み出された利用実績に対応する支払額を課金額記憶部３３から読み出し、この読み出された支払額を上記情報提供者に対する報酬として決定する（ステップＳ３４）。例えば、いまＩＤが「１」の情報提供者の利用実績が図７に示すように「１２回」だったとすれば、図８に示す課金条件から支払金額は「２００円」となる。  
そして、ステップＳ３５において、上記決定された報酬額を通知するための課金情報を生成し、この生成された課金情報を情報取得者端末ＣＴ１〜ＣＴｍに向け送受信ユニット１から送信する。
【００３７】
そうして、一人の利用者についての課金処理が終了すると、課金制御部２６は全ての利用者についての課金処理が終了したか否かをステップＳ３６により判定する。そして、まだ終了していない利用者が残っていれば、ステップＳ３１に戻って次の利用者を選択し、この利用者についてステップＳ３２〜Ｓ３５による課金処理を実行する。以後、課金処理が行われていない全ての利用者について、順次上記ステップＳ３２〜Ｓ３５による課金処理を実行する。  
上記全ての利用者についての課金処理が終了すると、課金制御部２４はステップＳ３７に移行し、ここで利用実績記憶部３２に記憶された利用実績をゼロクリアして、図３に示した待機状態に戻る。
【００３８】
なお、情報取得者端末ＣＴ１〜ＣＴｍは、上記課金情報を受け取ると、この課金情報に基づいて情報提供者に対する報酬の支払い指示情報を情報仲介サーバＩＳＶへ送信する。情報仲介サーバＩＳＶは、上記支払い指示情報を受信すると、この指示情報に従い該当する情報提供者に対するポイントを加算するか、又は口座に対価を振り込む等の処理を実行し、その結果を情報提供者端末ＵＴ１〜ＵＴｎに通知する。この報酬の支払いのための情報転送経路の一例を図１の破線に示す。なお、報酬の支払形態については、情報仲介サーバＩＳＶが仲介せずに情報受信者が直接し払う形態など、種々の形態が考えられる。
【００３９】
以上詳述したようにこの実施形態では、複数の情報提供者端末ＵＴ１〜ＵＴｎから収集した生活情報が生活情報記憶部３１に記憶された状態で、情報取得者端末ＣＴ１〜ＣＴｍから上記生活情報の集計結果の開示要求が送られた場合に、先ず部分開示制御部２２の制御の下で上記記憶された生活情報を部分的に使用して部分開示情報を生成し上記要求元の情報取得者端末ＣＴ１〜ＣＴｍへ送信する。そして、この情報取得者端末ＣＴ１〜ＣＴｍから全開示要求が送られた場合に、上記記憶された生活情報の全てを使用して全開示情報を生成してこれを要求元の情報取得者端末ＣＴ１〜ＣＴｍへ送信し、この全開示情報の送信後に当該全開示情報を生成する元になった生活情報の提供元の情報提供者に対応する利用回数を更新するようにしている。
【００４０】
したがって、情報取得者は先ず部分開示情報により集計情報の有効性を判断し、有効と判断した場合に全開示要求を送ることにより全開示情報を取得することができる。すなわち値有効性の高い集計情報を選んで取得することができる。そして情報仲介サーバＩＳＶでは、全開示情報が送信された場合にこの全開示情報を作成する元になった生活情報についてその利用回数がカウントアップされ、この利用回数と課金条件をもとに情報提供者に対する報酬額が計算される。このため、有効性の高い生活情報を提供した情報提供者に対し報酬が支払われることになり、情報提供者も自ずと有効な情報を提供する傾向が強くなって、結果的に収集される生活情報の質を高めることができる。また、報酬を支払う側の情報取得者にとっては、取得した集計情報に対する費用効果を高めることができる。
【００４１】
なお、この発明は上記実施形態に限定されるものではない。例えば、前記実施形態では情報仲介サーバＩＳＶ内に課金制御部２４を設けた場合を例にとって説明したが、情報仲介サーバＩＳＶとは別に課金サーバを設け、この課金サーバにおいて課金制御部２４の処理を実行するようにしてもよい。
【００４２】
また、前記実施形態では部分開示情報と全開示情報をそれぞれ作成するようにしたが、全開示情報のみを作成し、部分開示要求を受信した時点ではこの全開示情報の一部を選択して送信し、その後全開示要求を受信した時点で上記作成しておいた全開示情報の全てを送信するようにしてもよい。全開示情報の一部を選択する例としては、複数の番組の視聴率データのうち一部の番組の視聴率データを選択するものや、複数の時間帯の視聴率データのうち一部の時間帯の視聴率データを選択するものが考えられる。
【００４３】
さらに、前記実施形態では全開示情報を送信した場合にその元になった生活情報の利用回数をカウントし、この利用回数をもとに課金条件記憶部３３をアクセスして報酬額を決定するようにした。しかしそれに限らず、全開示情報を送信した場合にその元になった生活情報の提供者を、生活情報記憶部３１に記憶された情報提供者ＩＤをもとに検索し、この検索された情報提供者に対する報酬額をその都度、予め課金条件により定められた額ずつ加算するようにしてもよい。
【００４４】
さらに、前記実施形態では全開示情報が送信された場合にのみその元になった生活情報の情報提供者に対し報酬額が支払われるようにしたが、部分開示情報の作成のみに使用された生活情報の提供者に対しても、上記全開示情報の作成の元になった生活情報の提供者より少なく報酬額を支払うように設定してもよい。
【００４５】
その他、情報仲介装置の構成とその処理手順及び処理内容、情報提供者端末及び情報取得者端末の種類、生活情報及び集計情報の種類や構成、課金条件等についても、この発明の要旨を逸脱しない範囲で種々変形して実施可能である。
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４６】
ＩＳＶ…情報仲介サーバ、ＵＴ１〜ＵＴｎ…情報提供者端末、ＣＴ１〜ＣＴｍ…情報取得者端末、ＮＷ…通信ネットワーク、１…送受信ユニット、２…制御ユニット、３…記憶ユニット、２１…情報収集制御部、２２…部分開示制御部、２３…全開示制御部、２４…課金制御部、３１…生活情報記憶部、３２…利用実績記憶部、３３…課金条件記憶部。
【図１】
2011197955.tif 000003
【図２】
2011197955.tif 000004
【図３】
2011197955.tif 000005
【図４】
2011197955.tif 000006
【図５】
2011197955.tif 000007
【図６】
2011197955.tif 000008
【図７】
2011197955.tif 000009
【図８】
2011197955.tif 000010